(57)【要約】【課題】映像用ととデータ通信用と音声通信用のコンセントを一体化した１連モジュール寸法の情報コンセントおよびそれを用いるマルチメディア配線装置を提供する。【解決手段】情報コンセント１は、大角形連用配線器具用の取付枠の開口よりも長寸且つ幅広の窓孔を有する化粧プレートの窓孔から突台部５の前面を露出させた状態で造営面に埋込配設される１連モジュール寸法の器体２を備え、突台部５の前面には長手方向における両側部および中央部にコンセント部の取付位置を３個設け、３個の取付位置に、少なくとも１つのＦ型接栓１１と、ＬＡＮ用のモジュラジャック１５または電話用のモジュラジャック１４の内の少なくとも何れか一方とを配置し、且つ、何れかの取付位置においてＦ型接栓１１、モジュラジャック１４、１５の内の１種又は２種を器体２の短手方向に沿って２個並置してある。【選択図】図１
2008288164.tif 000002
【特許請求の範囲】
【請求項１】
大角形連用配線器具用の取付枠の開口よりも長寸且つ幅広の窓孔を有する化粧プレートの前記窓孔から機能面を露出させた状態で造営面に埋込配設される１連モジュール寸法の器体を備え、前記機能面には長手方向における両側部および中央部にコンセント部の取付位置を３個設け、３個の取付位置に、少なくとも１つの映像用のコンセント部と、データ通信用のコンセント部または音声通信用のコンセント部の内の少なくとも何れか一方とを配置し、且つ、何れかの取付位置において映像用のコンセント部、データ通信用のコンセント部、音声通信用のコンセント部の内の１種又は２種を器体の短手方向に沿って２個並置したことを特徴とする情報コンセント。
【請求項２】
前記コンセント部として、映像用のコンセント部を２個、データ通信用のコンセント部および音声通信用のコンセント部を各１個設けたことを特徴とする請求項１記載の情報コンセント。
【請求項３】
前記コンセント部として、映像用のコンセント部を２個、データ通信用のコンセント部を２個設けたことを特徴とする請求項１記載の情報コンセント。
【請求項４】
前記コンセント部として、映像用のコンセント部を２個、音声通信用のコンセント部を２個設けたことを特徴とする請求項１記載の情報コンセント。
【請求項５】
前記コンセント部として、映像用のコンセント部を１個、データ通信用のコンセント部を２個、音声通信用のコンセント部を１個設けたことを特徴とする請求項１記載の情報コンセント。
【請求項６】
前記コンセント部として、映像用のコンセント部を１個、データ通信用のコンセント部を１個、音声通信用のコンセント部を２個設けたことを特徴とする請求項１記載の情報コンセント。
【請求項７】
前記コンセント部として、映像用のコンセント部を２個、データ通信用のコンセント部を２個、音声通信用のコンセント部を１個設けたことを特徴とする請求項１記載の情報コンセント。
【請求項８】
前記コンセント部として、映像用のコンセント部を２個、データ通信用のコンセント部を１個、音声通信用のコンセント部を２個設けたことを特徴とする請求項１記載の情報コンセント。
【請求項９】
前記コンセント部として、映像用のコンセント部を１個、データ通信用のコンセント部を２個、音声通信用のコンセント部を２個設けたことを特徴とする請求項１記載の情報コンセント。
【請求項１０】
前記コンセント部として、映像用のコンセント部を１個、データ通信用のコンセント部を３個、音声通信用のコンセント部を１個設けたことを特徴とする請求項１記載の情報コンセント。
【請求項１１】
前記コンセント部として、映像用のコンセント部を１個、データ通信用のコンセント部を１個、音声通信用のコンセント部を３個設けたことを特徴とする請求項１記載の情報コンセント。
【請求項１２】
前記コンセント部として、映像用のコンセント部を２個、データ通信用のコンセント部を２個、音声通信用のコンセント部を２個設けたことを特徴とする請求項１記載の情報コンセント。
【請求項１３】
前記コンセント部として、映像用のコンセント部を２個、データ通信用のコンセント部を３個、音声通信用のコンセント部を１個設けたことを特徴とする請求項１記載の情報コンセント。
【請求項１４】
前記コンセント部として、映像用のコンセント部を２個、データ通信用のコンセント部を１個、音声通信用のコンセント部を３個設けたことを特徴とする請求項１記載の情報コンセント。
【請求項１５】
前記コンセント部として、映像用のコンセント部を１個、データ通信用のコンセント部を３個、音声通信用のコンセント部を２個設けたことを特徴とする請求項１記載の情報コンセント。
【請求項１６】
前記コンセント部として、映像用のコンセント部を１個、データ通信用のコンセント部を２個、音声通信用のコンセント部を３個設けたことを特徴とする請求項１記載の情報コンセント。
【請求項１７】
２個の映像用のコンセント部が隣接して配置され、映像信号が入力される映像入力端子を１つ備え映像入力端子を介して入力される映像信号を２個の映像用のコンセント部に分配する分配器を設けたことを特徴とする請求項２、３、４、７、８、１２、１３、１４の何れか１項に記載の情報コンセント。
【請求項１８】
映像用のコンセント部に、所定の周波数帯域のノイズ成分を減衰させるフィルタを設けたことを特徴とする請求項１〜１７の何れか１項に記載の情報コンセント。
【請求項１９】
請求項１〜１８の何れか１項に記載の情報コンセントと、埋込型配線器具用の取付枠に取着された１乃至複数の電源コンセントとを並設して構成されることを特徴とするマルチメディア配線装置。
【発明の詳細な説明】
【技術分野】
【０００１】
本発明は、情報コンセントおよびそれを用いるマルチメディア配線装置に関するものである。
【背景技術】
【０００２】
従来、ＪＩＳ等で規格化された埋込型配線器具用の取付枠に取付可能な配線器具として電力系の電源コンセントと、映像用のＴＶコンセントや音声通信用（例えば電話用）のモジュラコンセントやデータ通信用（例えばＬＡＮ用）のモジュラコンセントからなる情報系のコンセントとが提供されている（例えば特許文献１参照）。
【０００３】
これらのコンセントは、例えば取付枠に３個まで取着可能な１個モジュール寸法または２個モジュール寸法に形成されており、電力系のコンセント（電源コンセント）と情報系のコンセント（映像用のＴＶコンセント、音声通信用のモジュラコンセント、データ通信用のモジュラコンセント）とを３連の取付枠に並設した所謂マルチメディアコンセントが提供されていた。なお、電力系のコンセントと情報系のコンセントの間には、内線規定により絶縁セパレータなどの堅牢な隔壁を設ける必要があるため、電力系の電源コンセントを１連の取付枠に配設するとともに、他の２連の取付枠に映像用のＴＶコンセントと通信用（音声通信用およびデータ通信用）のモジュラコンセントをそれぞれ配設し、電力系のコンセントと情報系のコンセントとの間に絶縁セパレータを配置していた。
【特許文献１】特開２００５−１１７５４６号公報（段落［００１５］−［００１６］、及び、第３図）
【発明の開示】
【発明が解決しようとする課題】
【０００４】
上述のマルチメディア配線装置では３連の取付枠に電力系のコンセントと情報系（映像用と音声通信用とデータ通信用）のコンセントを取り付けていた。ところで、ツーバイフォー工法を用いて建築される建築物の準耐火構造ではスイッチボックスを鋼製とすることや、スイッチボックスの開口部の面積が１００ｃｍ２を越える場合は、不燃性断熱材を充填するなどの防火被覆を設けることが要求されている。取付枠が２連の場合は開口面積が１００ｃｍ２以下となるので防火被覆を設ける必要はないが、従来のマルチメディア配線装置は３連モジュールの大きさのため、開口面積が１００ｃｍ２を越えて防火被覆を設ける必要があり、施工性が悪化するという問題があった。
【０００５】
本発明は上記問題点に鑑みて為されたものであり、その目的とするところは、映像用ととデータ通信用と音声通信用のコンセントを一体化した１連モジュール寸法の情報コンセントおよびそれを用いるマルチメディア配線装置を提供することにある。
【課題を解決するための手段】
【０００６】
上記目的を達成するために、請求項１の発明は情報コンセントであって、大角形連用配線器具用の取付枠の開口よりも長寸且つ幅広の窓孔を有する化粧プレートの前記窓孔から機能面を露出させた状態で造営面に埋込配設される器体を備え、前記機能面には長手方向における両側部および中央部にコンセント部の取付位置を３個設け、３個の取付位置に、少なくとも１つの映像用のコンセント部と、データ通信用のコンセント部または音声通信用のコンセント部の内の少なくとも何れか一方とを配置し、且つ、何れかの取付位置において映像用のコンセント部、データ通信用のコンセント部、音声通信用のコンセント部の内の１種又は２種を器体の短手方向に沿って２個並置したことを特徴とする。
【０００７】
請求項２の発明は、請求項１の発明において、コンセント部として、映像用のコンセント部を２個、データ通信用のコンセント部および音声通信用のコンセント部を各１個設けたことを特徴とする。
【０００８】
請求項３の発明は、請求項１の発明において、コンセント部として、映像用のコンセント部を２個、データ通信用のコンセント部を２個設けたことを特徴とする。
【０００９】
請求項４の発明は、請求項１の発明において、コンセント部として、映像用のコンセント部を２個、音声通信用のコンセント部を２個設けたことを特徴とする。
【００１０】
請求項５の発明は、請求項１の発明において、コンセント部として、映像用のコンセント部を１個、データ通信用のコンセント部を２個、音声通信用のコンセント部を１個設けたことを特徴とする。
【００１１】
請求項６の発明は、請求項１の発明において、コンセント部として、映像用のコンセント部を１個、データ通信用のコンセント部を１個、音声通信用のコンセント部を２個設けたことを特徴とする。
【００１２】
請求項７の発明は、請求項１の発明において、コンセント部として、映像用のコンセント部を２個、データ通信用のコンセント部を２個、音声通信用のコンセント部を１個設けたことを特徴とする。
【００１３】
請求項８の発明は、請求項１の発明において、コンセント部として、映像用のコンセント部を２個、データ通信用のコンセント部を１個、音声通信用のコンセント部を２個設けたことを特徴とする。
【００１４】
請求項９の発明は、請求項１の発明において、コンセント部として、映像用のコンセント部を１個、データ通信用のコンセント部を２個、音声通信用のコンセント部を２個設けたことを特徴とする。
【００１５】
請求項１０の発明は、請求項１の発明において、コンセント部として、映像用のコンセント部を１個、データ通信用のコンセント部を３個、音声通信用のコンセント部を１個設けたことを特徴とする。
【００１６】
請求項１１の発明は、請求項１の発明において、コンセント部として、映像用のコンセント部を１個、データ通信用のコンセント部を１個、音声通信用のコンセント部を３個設けたことを特徴とする。
【００１７】
請求項１２の発明は、請求項１の発明において、コンセント部として、映像用のコンセント部を２個、データ通信用のコンセント部を２個、音声通信用のコンセント部を２個設けたことを特徴とする。
【００１８】
請求項１３の発明は、請求項１の発明において、コンセント部として、映像用のコンセント部を２個、データ通信用のコンセント部を３個、音声通信用のコンセント部を１個設けたことを特徴とする。
【００１９】
請求項１４の発明は、請求項１の発明において、コンセント部として、映像用のコンセント部を２個、データ通信用のコンセント部を１個、音声通信用のコンセント部を３個設けたことを特徴とする。
【００２０】
請求項１５の発明は、請求項１の発明において、コンセント部として、映像用のコンセント部を１個、データ通信用のコンセント部を３個、音声通信用のコンセント部を２個設けたことを特徴とする。
【００２１】
請求項１６の発明は、請求項１の発明において、コンセント部として、映像用のコンセント部を１個、データ通信用のコンセント部を２個、音声通信用のコンセント部を３個設けたことを特徴とする。
【００２２】
請求項１７の発明は、請求項２、３、４、７、８、１２〜１４の何れか１つの発明において、２個の映像用のコンセント部が隣接して配置され、映像信号が入力される映像入力端子を１つ備え映像入力端子を介して入力される映像信号を２個の映像用のコンセント部に分配する分配器を設けたことを特徴とする。
【００２３】
請求項１８の発明は、請求項１〜１７の何れか１つの発明において、映像用のコンセント部に、所定の周波数帯域のノイズ成分を減衰させるフィルタを設けたことを特徴とする。
【００２４】
請求項１９の発明はマルチメディア配線装置であって、請求項１〜１８の何れか１つに記載の情報コンセントと、埋込型配線器具用の取付枠に取着された１乃至複数の電源コンセントとを並設したことを特徴とする。
【発明の効果】
【００２５】
請求項１〜１６の発明によれば、１連モジュールの大きさに器体が形成された情報コンセントに、映像用のコンセント部と、データ通信用のコンセント部または音声通信用のコンセント部の内の少なくとも何れか一方が配置してあるので、情報コンセントと電源コンセントとで構成されるマルチメディア配線装置を２連モジュールの大きさで構成することができる。したがって、マルチメディア配線装置を埋込配設するために使用するスイッチボックスの開口部の面積を１００ｃｍ２以下に抑えることができるから、ツーバイフォー工法を用いて建築される建築物の準耐火構造を満たすためにスイッチボックス内に不燃性断熱材を充填する必要がなくなり、施工性を向上させることができるという効果がある。また、請求項２〜１６の発明によれば、様々な組み合わせのコンセント部を備えた情報コンセントを実現できるという効果がある。
【００２６】
請求項１７の発明によれば、映像入力端子に入力された映像信号を２つの映像用のコンセント部に分配することができる。
【００２７】
請求項１８の発明によれば、フィルタにより所定の周波数帯域のノイズ成分を減衰させることができる。
【００２８】
請求項１９の発明によれば、マルチメディア配線装置を２連モジュールの大きさで構成することができるので、マルチメディア配線装置を埋込配設するために使用するスイッチボックスの開口部の面積を１００ｃｍ２以下に抑えることができ、ツーバイフォー工法を用いて建築される建築物の準耐火構造を満たすためにスイッチボックス内に不燃性断熱材を充填する必要がなくなり、施工性を向上させることができるという効果がある。
【発明を実施するための最良の形態】
【００２９】
本発明に係る情報コンセントおよびこの情報コンセントを用いたマルチメディア配線装置の実施形態を図面に基づいて説明する。
【００３０】
（実施形態１）
図１および図２は情報コンセント１の一実施形態を示し、情報コンセント１の器体２は、前面側のカバー３と、カバー３の後面に取着されるボディ４とで構成される。尚、以下の説明では特に断りが無いかぎり、図１（ａ）に示す向きにおいて上下左右の方向を規定し、図１（ｂ）中の左側を前側、右側を後側として説明を行う。
【００３１】
カバー３は後面側が開口した略箱状の合成樹脂成型品からなり、カバー３の前面には前方に突出する突台部５が一体に形成され、突台部５の前面がコンセント部の配置される機能面となっている。またカバー３の上下両側壁には上下方向に延出する取付片６がそれぞれ突設されており、各取付片６には器体２をスイッチボックス（図示せず）に固定するためのボックスねじを挿通する長孔状のねじ挿通孔６ａと、前面側にプレート枠（図示せず）を螺着するためのねじ孔６ｂとが設けられている。
【００３２】
ボディ４は前面側が開口した略箱状の合成樹脂成型品からなり、左右両側壁の前面側には側方に突出するフランジ４ａが突設されており、カバー３の左右両側壁に設けた組立爪３ａをフランジ４ａに設けた結合孔（図示せず）に係合させることで、ボディ４がカバー３に結合されるようになっている。
【００３３】
情報コンセント１の器体２は、図３（ａ）に示すようにＪＩＳ（ＪＩＳ  Ｃ  ８３７５）で規格化された大角形連用配線器具用の１連の取付枠（図示せず）の開口よりも長寸且つ幅広の窓孔４３を有する専用化粧枠４２の窓孔４２から機能面（突台部５の前面）を露出させた状態で造営面に埋込配設される。ここにおいて、カバー３の取付片６、６に取着されるプレート枠とこのプレート枠の前面側に取着されるプレート４０と、プレート４０の窓孔４１内に取着される専用化粧枠４２などから化粧プレートが構成される（図３参照）。
【００３４】
器体２前面の機能面には長手方向（図３中の上下方向）における両側部および中央部にコンセント部の取付位置を３個設けてある。そして、３個の取付位置に、少なくとも１つの映像用のコンセント部と、データ通信用のコンセント部または音声通信用のコンセント部の内の少なくとも何れか一方とを配置し、且つ、何れかの取付位置において映像用のコンセント部、データ通信用のコンセント部、音声通信用のコンセント部の内の１種又は２種を器体の短手方向に沿って２個並置している。尚、以下の説明では、機能面に設けた３個の取付位置を施工状態における上、中、下の取付位置として説明する。
【００３５】
ここで、図１〜図３に示す情報コンセント１では、上側の取付位置に映像用のコンセント部としてＦ型接栓１１を左右に２個並べて配置するとともに、中央の取付位置に音声通信用のコンセント部として電話用モジュラジャック１４（以下モジュラジャックと言う）を配置し、下側の取付位置にデータ通信用のコンセント部としてＬＡＮ用モジュラジャック１５（以下モジュラジャックと言う）を配置してある。
【００３６】
すなわち、器体２前面の上側の取付位置に角孔状の２個の凹所５ａ，５ａを設けるとともに、各々の凹所５ａ，５ａに、テレビなどの映像機器からの同軸ケーブルの端末に設けた同軸コネクタ（図示せず）が接続されるＦ型接栓１１，１１を配設してある。各々のＦ型接栓１１は、カバー３の裏面側に取着される接続ターミナル１２の前面側に設けられ、凹所５ａの底部に設けた貫通孔（図示せず）を通して前面側に突出しており、接続ターミナル１２の後部下面には、造営面の裏側に配線された同軸ケーブルの端末の同軸コネクタ（図示せず）が接続されるＦ型接栓１３が突設されている。ここにおいて、Ｆ型接栓１３が下側に配置される後述の端子台１４ｃに干渉しないよう、Ｆ型接栓１３をカバー３の上端部に寄せて配置するとともに、Ｆ型接栓１３が端子台１４ｃの後面よりも後方に位置するように接続ターミナル１２を後方に延長形成している。
【００３７】
また、器体２前面の中央の取付位置には電話用（例えばＲＪ−４５）のモジュラジャック１４が設けられている。このモジュラジャック１４は、電話用のモジュラプラグ（図示せず）が挿入されるプラグ挿入口１４ａを備えるとともに、プラグ挿入口１４ａを通して器体２内部に挿入されるモジュラプラグの複数本のコンタクトにそれぞれ電気的に接続される複数の接触子（図示せず）を器体２の内部に収納して構成される。プラグ挿入口１４ａには、プラグ挿入口１４ａを開閉自在に閉塞する開閉扉ブロック１４ｂが設けられている。開閉扉ブロック１４ｂは、前後に重ねて配置され上下方向においてスライド移動自在に設けられた２枚の扉体を有し、２枚の扉体は図示しない付勢ばねによって閉方向に付勢されており、一方の扉体に設けた摘みを上側に操作することで、プラグ挿入口１４ａを開放するようになっている。なお開閉扉ブロック１４ｂの構造は従来周知であるので、図示および説明は省略する。またボディ４の背面にはプラグ挿入口１４ａの裏側付近に端子台１４ｃが設けられ、端子台１４ｃの内部には上記の各接触子にそれぞれ電気的に接続された複数の速結端子（図示せず）が収納されている。端子台１４ｃの後面には各々の速結端子に対応する部位に電線挿入口１４ｄが開口しており、造営面の裏側に配線された音声通信用の通信線の被覆を剥き、その芯線を電線挿入口１４ｄに挿入すると、端子台１４ｃ内部に挿入された通信線の芯線が速結端子に鎖錠されて抜けが防止されるとともに、電気的に接続されるようになっている。
【００３８】
さらに、器体２前面の下側の取付位置にはＬＡＮ用（例えばカテゴリ５）のモジュラジャック１５が設けられている。このモジュラジャック１５は、ＬＡＮ用のモジュラプラグ（図示せず）が挿入されるプラグ挿入口１５ａを備えるとともに、プラグ挿入口１５ａを通して器体２内部に挿入されるモジュラプラグの複数のコンタクトにそれぞれ電気的に接続される複数の接触子（図示せず）を器体２の内部に収納して構成される。プラグ挿入口１５ａには、プラグ挿入口１５ａを開閉自在に閉塞する開閉扉ブロック１５ｂが設けられている。開閉扉ブロック１５ｂは、前後に重ねて配置され上下方向においてスライド移動自在に設けられた２枚の扉体を有し、２枚の扉体は図示しない付勢ばねによって閉方向に付勢されており、一方の扉体に設けた摘みを上側に操作することで、プラグ挿入口１５ａを開放するようになっている。なお開閉扉ブロック１５ｂの構造は従来周知であるので、図示および説明は省略する。またボディ４の背面にはプラグ挿入口１５ａの裏側位置に端子台ブロック１５ｃが設けられ、この端子台ブロック１５ｃの下面には上述した複数の接触子にそれぞれ電気的に接続されたＩＤＣ端子と呼ばれる複数の圧接端子（図示せず）が配設されている。また端子台ブロック１５ｃの下面には、圧接端子を開閉自在に覆う端子カバー１５ｄが着脱自在に取着されている。而して、端子カバー１５ｄを外した状態で、造営面の裏側に配線されたデータ通信用の通信線を対応する圧接端子の位置に整列させて、端子カバー１５ｄを端子台ブロック１５ｃに近づけると、通信線が端子カバー１５ｄにより圧接端子に押圧されて、通信線の被覆が剥かれ、通信線の芯線が圧接端子に電気的に接続されるとともに、圧接端子に挟持されて抜けが防止されるようになっている。
【００３９】
このように図１〜図３に示す情報コンセント１では、機能面（突台部５の前面）の大きさが、３個モジュール寸法（大角形連用配線器具用の取付枠に３個まで取着可能な大きさを１個モジュール寸法といい、１個モジュール寸法の配線器具を短幅方向に３個並べた大きさを３個モジュール寸法という）の大角形連用配線器具の機能面と長手方向寸法が略同じ寸法であって、短手方向寸法がやや長めに形成されており、この機能面に、映像用のコンセント部を構成するＦ型接栓１１を２個、データ通信用のコンセント部を構成するＬＡＮ用のモジュラジャック１５を１個、音声通信用のコンセント部を構成する電話用のモジュラジャック１４を１個設けているので、図３（ａ）に示すように１連の取付枠（図示せず）に取り付けられた１個モジュール寸法の３個の電源コンセント３１とともにマルチメディア配線装置Ａを構成した場合でも、マルチメディア配線装置Ａを２連モジュールの寸法に形成することができる。したがって、情報コンセント１および電源コンセント３１を埋込配設するために使用するスイッチボックス（図示せず）の開口部の面積を１００ｃｍ２以下に抑えることができるから、ツーバイフォー工法を用いて建築される建築物の準耐火構造を満たすためにスイッチボックス内に不燃性断熱材を充填する必要がなくなり、施工性を向上させることができる。また、各コンセント部の配置は上記の形態に限定されるものではなく、様々な組み合わせのコンセント部を備えた情報コンセント１を実現することができる。
【００４０】
ここで、突台部５の前面の寸法は３個モジュール寸法（１連モジュール寸法）の大角形連用配線器具と略同じ寸法に形成されているので、大角形連用配線器具用の取付枠の窓孔よりも大きな窓孔４１を有するプレート４０を前面側に取り付ける場合には、外形寸法が窓孔４１と略同じ寸法に形成されると共に中央に突台部５を挿通させる窓孔４３が形成された専用化粧枠４２を情報コンセント１に取り付ければよい。なお、図３（ａ）に示す情報コンセント１では凹所５ａ，５ａを仕切る隔壁５ｂを設けているが、図３（ｂ）に示すように隔壁５ｂを無くしても良い。
【００４１】
（実施形態２）
本発明の実施形態２を図４および図５に基づいて説明する。実施形態１では、映像用のコンセント部を構成する２個のＦ型接栓１１を左右に並置してあり、各々のＦ型接栓１１に対応して映像入力端子となるＦ型接栓１３を設けてあり、２個のＦ型接栓１３に別々の映像信号（例えば一方を地上波放送用、他方をＣＳ放送用、或いは、一方を地上波放送用、他方をＢＳ放送用）を入力することができるが、本実施形態では２個のＦ型接栓１１から同一の映像信号（例えば地上波放送信号）を出力するようになっている。尚、接続ターミナル１２以外は実施形態１と同様であるので、共通する構成要素には同一の符号を付して、その説明は省略する。
【００４２】
本実施形態では、接続ターミナル１２の器体を横長の直方体状に形成してあり、この器体の前面に２個のＦ型接栓１１，１１を設け、各Ｆ型接栓１１を凹所５ａの底部に設けた貫通孔から前面側に突出させている。また接続ターミナル１２の器体の後部下面には、造営面の裏側に配線された同軸ケーブルの端末に設けた同軸コネクタ（図示せず）が接続されるＦ型接栓１３（映像入力端子）が１つ設けられており、Ｆ型接栓１３に入力された映像信号を２個のＦ型接栓１１，１１に分配する分配器が接続ターミナル１２の内部に収納されている。なおＦ型接栓１３は、接続される同軸ケーブルが端子台１４ｃに接続される通信線と干渉しないよう片側（図４（ｃ）の右側）に寄せて設けられている。
【００４３】
本実施形態では２個のＦ型接栓１１が隣接して配置されているので、端子台１４ｃ，１５ｃに干渉することなく、分配器を内蔵した接続ターミナル１２を配置でき、Ｆ型接栓１３に入力された映像信号を分配器により２つのＦ型接栓１１，１１に分配することができる。
【００４４】
（実施形態３）
本発明の実施形態３を図６（ａ）〜（ｆ）および図９、図１０に基づいて説明する。実施形態１，２では、図６（ａ）に示すように情報コンセント１の機能面において上側の取付位置にＦ型接栓１１（映像用のコンセント部）を、中央の取付位置に電話用のモジュラジャック１４（音声通信用のコンセント部）を、下側の取付位置にＬＡＮ用のモジュラジャック１５（データ通信用のコンセント部）を配置し、且つ、上側の取付位置において２個のＦ型接栓１１を左右に並べて配置しているが、本実施形態では図６（ｂ）に示すようにＬＡＮ用のモジュラジャック１５を中央の取付位置に、電話用のモジュラジャック１５を下側の取付位置に配置してある。ここで、ＬＡＮ用のモジュラジャック１５の端子台としてＩＤＣ端子を備えた端子台ブロック１５ｃを用いた場合、８個のＩＤＣ端子を前後方向において左右２列に配置するため、端子台ブロック１５ｃの前後方向寸法が大きくなって、Ｆ型接栓１３と干渉する虞がある。そこで、Ｆ型接栓１１とＬＡＮ用のモジュラジャック１５を隣接して配置する場合は、ＬＡＮ用のモジュラジャック１５の端子台として、音声通信用のモジュラジャック１４の端子台１４ｃに用いたものと同様の速結構造の薄型端子台１５ｅを用いるのが好ましい。なお、コンセント部の配置以外は実施形態１又は２と同様であるので、共通する構成要素には同一の符号を付して、その説明は省略する。
【００４５】
なお、各コンセント部の配置は上記の形態に限定されるものではなく、図６（ｃ）および図９並びに図１０（ａ）に示すように、中央の取付位置に２個のＦ型接栓１１を左右に並べて配置すると共に、上側の取付位置に音声通信用のモジュラジャック１４を、下側の取付位置にデータ通信用のモジュラジャック１５を配置しても良い。この情報コンセント１では、カバー３背面の上側部に取着したボディ４Ａに電話用のモジュラジャック１４の端子台１４ｃを配置するとともに、カバー３背面の下側部に取着したボディ４ＢにＬＡＮ用のモジュラジャック１５の端子台１５ｅを配置している。端子台１５ｅは、端子台１４ｃと同様に速結端子構造の接続端子を内部に収納してあり、端子台１５ｅの後面に開口する電線挿通口１５ｆから被覆の剥かれた通信線の芯線を挿入すると、内部に挿入された通信線の芯線に速結端子構造の接続端子が鎖錠して、抜けが防止されるとともに、モジュラジャック１５の備える接触子が通信線に電気的に接続されるようになっている。
【００４６】
またカバー３背面の中央部には、前面にＦ型接栓１１を備える２個の接続ターミナル１２が左右に並べて取り付けられており、接続ターミナル１２の後部下面には下側に向かって突出するＦ型接栓１３が設けられている。ここで、ＬＡＮ用のモジュラジャック１５の端子台１５ｅに速結構造の端子台を用いているので、端子台１５ｅの前後方向の大きさをＩＤＣ端子を用いた端子台ブロック１５ｃに比べて小さくでき、端子台１５ｅとの干渉を避けるためにＦ型接栓１３が端子台１５ｅの後面よりも後側に配置されるように接続ターミナル１２を後側に延長形成した場合でも情報コンセント１の奥行き寸法を小さくできる。
【００４７】
なお、図９および図１０に示す情報コンセント１では電話用のモジュラジャック１４を上側の取付位置に、ＬＡＮ用のモジュラジャック１５を下側の取付位置に配置しているが、図６（ｄ）に示すようにＬＡＮ用のモジュラジャック１５を上側の取付位置に、電話用のモジュラジャック１４を下側の取付位置に配置しても良い。
【００４８】
また、図６（ｅ）に示すように下側の取付位置に２個のＦ型接栓１１を左右に並べて配置すると共に、上側の取付位置に電話用のモジュラジャック１４を、中央の取付位置にＬＡＮ用のモジュラジャック１５を配置しても良いし、図６（ｆ）に示すように下側の取付位置に２個のＦ型接栓１１を左右に並べて配置すると共に、上側の取付位置にＬＡＮ用のモジュラジャック１５を、中央の取付位置に電話用のモジュラジャック１４を配置しても良い。
【００４９】
また、本実施形態の情報コンセント１においても、実施形態２と同様に、２個のＦ型接栓１１から同一の映像信号（例えば地上波放送信号）を出力させるようにできる。すなわち図１０（ｂ）に示すように、接続ターミナル１２の器体を横長の直方体状に形成するとともに、この器体の前面に２個のＦ型接栓１１，１１を設け、各Ｆ型接栓１１を凹所５ａの底部に設けた貫通孔から前面側に突出させる。また接続ターミナル１２の器体の後部下面には、造営面の裏側に配線された同軸ケーブル（図示せず）が接続されるＦ型接栓１３（映像入力端子）が１個設けられており、Ｆ型接栓１３に入力された映像信号を２個のＦ型接栓１１，１１に分配する分配器が接続ターミナル１２の内部に収納されている。なおＦ型接栓１３は、接続される同軸ケーブルが端子台１４ｃに接続される通信線と干渉しないよう片側（図４（ｃ）の右側）に寄せて設けられている。
【００５０】
本実施形態では２個のＦ型接栓１１が隣接して配置されているので、端子台１４ｃ，１５ｃに干渉することなく、分配器を内蔵した接続ターミナル１２を配置でき、Ｆ型接栓１３に入力された映像信号を分配器により２つのＦ型接栓１１，１１に分配することができる。
【００５１】
（実施形態４）
本発明の実施形態４を図６（ｇ）〜（ｌ）および図１１、図１２に基づいて説明する。上述の実施形態１〜３では情報コンセント１の機能面において両側部および中央部のうち何れかの取付位置においてＦ型接栓１１を左右に並置しているが、本実施形態では何れかの取付位置において電話用のモジュラジャック１４およびＬＡＮ用のモジュラジャック１５を左右に並置するとともに、残りの取付位置にＦ型接栓１１を１個ずつ配置している。尚、各コンセント部の配置以外は実施形態１〜３と同様であるので、共通する構成要素には同一の符号を付してその説明は省略する。
【００５２】
図６（ｇ）および図１１、図１２に示す情報コンセント１では、機能面における下側の取付位置にＬＡＮ用のモジュラジャック１５を左側、電話用のモジュラジャック１４を右側に配置するとともに、上側および中央の取付位置に丸穴状の凹所５ｃ，５ｃを設け、各凹所５ｃ内にＦ型接栓１１を配置している。
【００５３】
各々のＦ型接栓１１は、カバー３の裏面側に取着される接続ターミナル１２の前面側に設けられ、凹所５ｃの底部に設けた貫通孔を通して前面側に突出しており、接続ターミナル１２の後部下側面には、造営面の裏側に配線された同軸ケーブルの端末に設けた同軸コネクタ（図示せず）が接続されるＦ型接栓１３が突設されている。ここで、Ｆ型接栓１３の突出方向を鉛直下向きとした場合、上側のＦ型接栓１３が下側の接続ターミナル１２に干渉するため、上下に並ぶ２個のＦ型接栓１３が斜め右下に向かって突出するよう、２個の接続ターミナル１２を斜めに傾けて取り付けてある（図１２（ｂ）参照）。
【００５４】
また、カバー３の裏面の下側部にはモジュラジャック１４，１５の裏側位置にボディ４が取着されており、ボディ４の裏面にはモジュラジャック１４の端子台１４ｃとモジュラジャック１５の端子台１５ｅとが左右に並べて配置されている。ここで、端子台１４ｃ，１５ｅは、それぞれ速結端子構造の接続端子を内蔵しており、背面に開口する電線挿入口１４ｄ，１５ｆを通して被覆の剥かれた通信線の芯線が挿入されると、内部に挿入された通信線の芯線が速結構造の接続端子に鎖錠されて抜けが防止されるとともに、電気的に接続されるようになっている。また、モジュラジャック１５の端子台１５ｅには、速結構造の接続端子を有する端子台を用いているので、ＩＤＣ端子を用いる端子台１５ｃに比べて前後方向の寸法を小さくできるから、端子台１５ｅと干渉しないようＦ型接栓１３を端子台１４ｃよりも後側に配置した場合でも情報コンセント１の奥行き寸法を小さくすることができる。
【００５５】
なお本実施形態では機能面における下側の取付位置に、電話用のモジュラジャック１４とＬＡＮ用のモジュラジャック１５とを左右に並置しているが、図６（ｊ）および図１３、図１４に示すように中央の取付位置に電話用のモジュラジャック１４とＬＡＮ用のモジュラジャック１５とを左右に並置し、上側および下側の取付位置にＦ型接栓１１，１１をそれぞれ１個ずつ配置するようにしても良い。この場合は、カバー３の背面において、上側および下側にＦ型接栓１１を前面に有する接続ターミナル１２，１２を配置し、カバー３背面の中央部にモジュラジャック１４，１５の端子台１４ｃ，１５ｅを配置している。上側の接続ターミナル１２では下側面にＦ型接栓１３が設けられ、下側の接続ターミナル１２では上側面にＦ型接栓１３が設けられている。また上側の接続ターミナル１２に設けたＦ型接栓１３は図１４（ｂ）中の斜め右下に突出し、下側の接続ターミナル１２に設けたＦ型接栓１３は図１４（ｂ）中の斜め左上に突出するよう、各接続ターミナル１２，１２が斜めに傾けて取り付けられており、各々のＦ型接栓１３，１３に接続された同軸ケーブルが互いに干渉するのを防止している。
【００５６】
また、機能面における下側又は中央の取付位置に、電話用のモジュラジャック１４とＬＡＮ用のモジュラジャック１５とを並置する代わりに、図６（ｌ）に示すように上側の取付位置に電話用のモジュラジャック１４とＬＡＮ用のモジュラジャック１５とを左右に並置し、中央および下側の取付位置にＦ型接栓１１，１１をそれぞれ１個ずつ配置するようにしても良い。また、図６（ｇ）（ｊ）（ｌ）ではＬＡＮ用のモジュラジャック１５を左側、電話用のモジュラジャック１４を右側に並置しているが、図６（ｈ）（ｉ）（ｋ）に示すようにＬＡＮ用のモジュラジャック１５を右側、電話用のモジュラジャック１４を左側に並置しても良い。
【００５７】
ところで、本実施形態では上中下の何れかの取付位置において電話用のモジュラジャック１４とＬＡＮ用のモジュラジャック１５とを左右に並べて並置し、残りの２箇所の取付位置にＦ型接栓１１，１１を配置しており、２個のＦ型接栓１１，１１には別々の映像信号が入力されるようになっているが、図６（ｇ）に示すように２個のＦ型接栓１１，１１が上下に隣接して配置されている場合には、図１５および図１６に示すように前面に２個のＦ型接栓１１，１１が設けられるとともに、後部下面にＦ型接栓１３が設けられ、Ｆ型接栓１３に接続された同軸ケーブルから入力される映像信号を分配してＦ型接栓１１，１１に分配する分配器を収納した接続ターミナル１２をカバー３の背面側に取り付け、Ｆ型接栓１３に入力された同一の映像信号を２個のＦ型接栓１１，１１から出力するようにしても良い。
【００５８】
なお、図６（ｈ）（ｋ）（ｌ）に示す情報コンセント１においても２個のＦ型接栓１１，１１が上下に隣接して配置されているので、これらの情報コンセント１においても、接続ターミナル１２を図１５および図１６に示す情報コンセント１と同様の構成とし、Ｆ型接栓１３から入力された映像信号を分配してＦ型接栓１１，１１に出力するようにしても良い。
【００５９】
（実施形態５）
本発明の実施形態５を図７および図８に基づいて説明する。本実施形態では情報コンセント１の機能面に、映像用のコンセント部としてＦ型接栓１１を２個、データ通信用のコンセント部としてＬＡＮ用のモジュラジャック１５を１個、音声通信用のコンセント部として電話用のモジュラジャック１４を１個それぞれ設けるとともに、上中下の何れかの取付位置においてＦ型接栓１１とモジュラジャック１４、或いは、Ｆ型接栓１１とモジュラジャック１５を左右方向に並置している。
【００６０】
図７（ａ）〜（ｄ）および図８（ａ）〜（ｄ）に示す情報コンセント１では上側の取付位置にＦ型接栓１１を１個配置してあり、図７（ａ）では中央の取付位置の右側にＦ型接栓１１を配置し、その左側に電話用のモジュラジャック１４を配置し、下側の取付位置にＬＡＮ用のモジュラジャック１５を配置してある。ここで、図７（ｂ）に示すようにモジュラジャック１４，１５の配置を入れ替えても良いし、図８（ａ）（ｂ）に示すように中央の取付位置において左側にＦ型接栓１１を配置しても良い。また、図７（ｃ）では下側の取付位置の右側にＦ型接栓１１を配置し、その左側に電話用のモジュラジャック１４を配置し、中央の取付位置にＬＡＮ用のモジュラジャック１５を配置してある。ここで、図７（ｄ）に示すようにモジュラジャック１４，１５の配置を入れ替えても良いし、図８（ｃ）（ｄ）に示すように下側の取付位置において左側にＦ型接栓１１を配置しても良い。
【００６１】
また、図７（ｅ）〜（ｈ）および図８（ｅ）〜（ｈ）に示す情報コンセント１では中央の取付位置にＦ型接栓１１を１個配置してあり、図７（ｅ）では上側の取付位置の右側にＦ型接栓１１を配置し、その左側に電話用のモジュラジャック１４を配置し、下側の取付位置にＬＡＮ用のモジュラジャック１５を配置してある。ここで、図７（ｆ）に示すようにモジュラジャック１４，１５の配置を入れ替えても良いし、図８（ｅ）（ｆ）に示すように上側の取付位置において左側にＦ型接栓１１を配置しても良い。また、図７（ｇ）では下側の取付位置の右側にＦ型接栓１１を配置し、その左側に電話用のモジュラジャック１４を配置し、上側の取付位置にＬＡＮ用のモジュラジャック１５を配置してある。ここで、図７（ｈ）に示すようにモジュラジャック１４，１５の配置を入れ替えても良いし、図８（ｇ）（ｈ）に示すように下側の取付位置において左側にＦ型接栓１１を配置しても良い。
【００６２】
また更に、図 ７（ｉ）〜（ｌ）および図８（ｉ）〜（ｌ）に示す情報コンセント１では下側の取付位置にＦ型接栓１１を１個配置してあり、図７（ｉ）では上側の取付位置の右側にＦ型接栓１１を配置し、その左側に電話用のモジュラジャック１４を配置し、中央の取付位置にＬＡＮ用のモジュラジャック１５を配置してある。ここで、図７（ｊ）に示すようにモジュラジャック１４，１５の配置を入れ替えても良いし、図８（ｉ）（ｊ）に示すように上側の取付位置において左側にＦ型接栓１１を配置しても良い。また、図７（ｋ）では中央の取付位置の右側にＦ型接栓１１を配置し、その左側に電話用のモジュラジャック１４を配置し、上側の取付位置にＬＡＮ用のモジュラジャック１５を配置してある。ここで、図７（ｌ）に示すようにモジュラジャック１４，１５の配置を入れ替えても良いし、図８（ｋ）（ｌ）に示すように中央の取付位置において左側にＦ型接栓１１を配置しても良い。
【００６３】
（実施形態６）
本発明の実施形態６を図１７（ａ）に基づいて説明する。上述の各実施形態では情報コンセント１の機能面に、映像用のコンセント部を２個、データ通信用のコンセント部および音声通信用のコンセント部を各１個ずつ設けているのに対して、本実施形態では、情報コンセント１の機能面に映像用のコンセント部とデータ通信用のコンセント部とを２個ずつ設けている。尚、コンセント部の配置以外は上述の実施形態１〜５と同様であるので、共通する構成要素には同一の符号を付して、その説明は省略する。
【００６４】
図１７（ａ）に示す情報コンセント１では、機能面における上側の取付位置に、映像用のコンセント部として２個のＦ型接栓１１，１１を左右に並べて配置してあり、中央および下側の取付位置にデータ通信用のコンセント部としてＬＡＮ用のモジュラジャック１５，１５を１個ずつ配設している。
【００６５】
而して、この情報コンセント１では、３個モジュール寸法の大角形連用配線器具と前面が略同じ寸法に形成された突台部５の前面に、映像用のコンセント部を構成するＦ型接栓１１を２個、データ通信用のコンセント部を構成するＬＡＮ用のモジュラジャック１５を２個設けているので、１連の取付枠（図示せず）に取り付けられた１個モジュール寸法の３個の電源コンセント３１とともにマルチメディア配線装置Ａを構成した場合でも、マルチメディア配線装置Ａを２連モジュールの寸法に形成することができる。したがって、情報コンセント１および電源コンセント３１を埋込配設するために使用するスイッチボックス（図示せず）の開口部の面積を１００ｃｍ２以下に抑えることができるから、ツーバイフォー工法を用いて建築される建築物の準耐火構造を満たすためにスイッチボックス内に不燃性断熱材を充填する必要がなくなり、施工性を向上させることができる。
【００６６】
なお本実施形態では、上側の取付位置に２個のＦ型接栓１１，１１を並置してあるが、中央あるいは下側の取付位置に２個のＦ型接栓１１，１１を並置し、他の２箇所の取付位置にＬＡＮ用のモジュラジャック１５を１個ずつ配置しても良い。また、上中下の何れかの取付位置においてＦ型接栓１１とＬＡＮ用のモジュラジャック１５を左右に並べて配置し、他の２箇所の取付位置にＦ型接栓１１とＬＡＮ用のモジュラジャック１５とを１個ずつ配置しても良い。また２個のＦ型接栓１１が隣接して配置されている場合には、接続ターミナル１２を実施形態２で説明したものと同様の構成とし、１つのＦ型接栓１３に入力された同一の映像信号を２個のＦ型接栓１１に分配するようにしても良い。
【００６７】
（実施形態７）
本発明の実施形態７を図１７（ｂ）に基づいて説明する。上述の実施形態１〜５では情報コンセント１の機能面に、映像用のコンセント部を２個、データ通信用のコンセント部および音声通信用のコンセント部を各１個ずつ設けているのに対して、本実施形態では、情報コンセント１の機能面に映像用のコンセント部と音声通信用のコンセント部とを２個ずつ設けている。尚、コンセント部の配置以外は上述の実施形態１〜５と同様であるので、共通する構成要素には同一の符号を付して、その説明は省略する。
【００６８】
図１７（ｂ）に示す情報コンセント１では、機能面における上側の取付位置に、映像用のコンセント部として２個のＦ型接栓１１，１１を左右に並べて配置してあり、中央および下側の取付位置に音声通信用のコンセント部として電話用のモジュラジャック１４，１４を１個ずつ配設している。
【００６９】
而して、この情報コンセント１では、３個モジュール寸法の大角形連用配線器具と前面が略同じ寸法に形成された突台部５の前面に、映像用のコンセント部を構成するＦ型接栓１１を２個、音声通信用のコンセント部を構成する電話用のモジュラジャック１４を２個設けているので、１連の取付枠（図示せず）に取り付けられた１個モジュール寸法の３個の電源コンセント３１とともにマルチメディア配線装置Ａを構成した場合でも、マルチメディア配線装置Ａを２連モジュールの寸法に形成することができる。したがって、情報コンセント１および電源コンセント３１を埋込配設するために使用するスイッチボックス（図示せず）の開口部の面積を１００ｃｍ２以下に抑えることができるから、ツーバイフォー工法を用いて建築される建築物の準耐火構造を満たすためにスイッチボックス内に不燃性断熱材を充填する必要がなくなり、施工性を向上させることができる。
【００７０】
なお本実施形態では、上側の取付位置に２個のＦ型接栓１１，１１を並置してあるが、中央あるいは下側の取付位置に２個のＦ型接栓１１，１１を並置し、他の２箇所の取付位置に電話用のモジュラジャック１４を１個ずつ配置しても良い。また、上中下の何れかの取付位置においてＦ型接栓１１と電話用のモジュラジャック１４を左右に並べて配置し、他の２箇所の取付位置にＦ型接栓１１と電話用のモジュラジャック１４とを１個ずつ配置しても良い。また２個のＦ型接栓１１が隣接して配置されている場合には、接続ターミナル１２を実施形態２で説明したものと同様の構成とし、１つのＦ型接栓１３に入力された同一の映像信号を２個のＦ型接栓１１に分配するようにしても良い。
【００７１】
（実施形態８）
本発明の実施形態８を図１８（ａ）に基づいて説明する。上述の実施形態１〜５では情報コンセント１の機能面に、映像用のコンセント部を２個、データ通信用のコンセント部および音声通信用のコンセント部を各１個ずつ設けているのに対して、本実施形態では、情報コンセント１の機能面に映像用のコンセント部を１個、データ通信用のコンセント部を２個、音声通信用のコンセント部を１個それぞれ設けている。尚、コンセント部の配置以外は上述の実施形態１〜５と同様であるので、共通する構成要素には同一の符号を付して、その説明は省略する。
【００７２】
図１８（ａ）に示す情報コンセント１では、機能面における中央の取付位置にＬＡＮ用のモジュラジャック１５，１５を２個左右に並べて配置してあり、上側の取付位置にＦ型接栓１１を、下側の取付位置に電話用のモジュラジャック１４を各１個ずつ配置している。
【００７３】
而して、この情報コンセント１では、３個モジュール寸法の大角形連用配線器具と前面が略同じ寸法に形成された突台部５の前面に、映像用のコンセント部を構成するＦ型接栓１１を１個、データ通信用のコンセント部を構成するＬＡＮ用のモジュラジャック１５を２個、音声通信用のコンセント部を構成する電話用のモジュラジャック１４を１個設けているので、１連の取付枠（図示せず）に取り付けられた１個モジュール寸法の３個の電源コンセント３１とともにマルチメディア配線装置Ａを構成した場合でも、マルチメディア配線装置Ａを２連モジュールの寸法に形成することができる。したがって、情報コンセント１および電源コンセント３１を埋込配設するために使用するスイッチボックス（図示せず）の開口部の面積を１００ｃｍ２以下に抑えることができるから、ツーバイフォー工法を用いて建築される建築物の準耐火構造を満たすためにスイッチボックス内に不燃性断熱材を充填する必要がなくなり、施工性を向上させることができる。
【００７４】
なお本実施形態では、上側の取付位置にＦ型接栓１１を、下側の取付位置に電話用のモジュラジャック１４をそれぞれ配置しているが、Ｆ型接栓１１と電話用のモジュラジャック１４の配置を入れ替えても良い。また中央の取付位置にＬＡＮ用のモジュラジャック１５，１５を並置しているが、上側又は下側の取付位置においてＬＡＮ用のモジュラジャック１５，１５を並置し、他の２箇所の取付位置にＦ型接栓１１および電話用のモジュラジャック１４を１個ずつ配置しても良い。また更に、上中下の何れかの取付位置において
Ｆ型接栓１１又は電話用のモジュラジャック１４の一方とＬＡＮ用のモジュラジャック１５とを左右に並置し、残りの２箇所の取付位置にＦ型接栓１１又は電話用のモジュラジャック１４の他方と、ＬＡＮ用のモジュラジャック１５とを１個ずつ配置しても良い。
【００７５】
（実施形態９）
本発明の実施形態９を図１８（ｂ）に基づいて説明する。上述の実施形態１〜５では情報コンセント１の機能面に、映像用のコンセント部を２個、データ通信用のコンセント部および音声通信用のコンセント部を各１個ずつ設けているのに対して、本実施形態では、情報コンセント１の機能面に映像用のコンセント部を１個、データ通信用のコンセント部を１個、音声通信用のコンセント部を２個それぞれ設けている。尚、コンセント部の配置以外は上述の実施形態１〜５と同様であるので、共通する構成要素には同一の符号を付して、その説明は省略する。
【００７６】
図１８（ｂ）に示す情報コンセント１では、機能面における下側の取付位置に電話用のモジュラジャック１４，１４を２個左右に並べて配置してあり、上側の取付位置にＦ型接栓１１を、中央の取付位置にデータ通信用のモジュラジャック１５を各１個ずつ配置している。
【００７７】
而して、この情報コンセント１では、３個モジュール寸法の大角形連用配線器具と前面が略同じ寸法に形成された突台部５の前面に、映像用のコンセント部を構成するＦ型接栓１１を１個、データ通信用のコンセント部を構成するＬＡＮ用のモジュラジャック１５を１個、音声通信用のコンセント部を構成する電話用のモジュラジャック１４を２個設けているので、１連の取付枠（図示せず）に取り付けられた１個モジュール寸法の３個の電源コンセント３１とともにマルチメディア配線装置Ａを構成した場合でも、マルチメディア配線装置Ａを２連モジュールの寸法に形成することができる。したがって、情報コンセント１および電源コンセント３１を埋込配設するために使用するスイッチボックス（図示せず）の開口部の面積を１００ｃｍ２以下に抑えることができるから、ツーバイフォー工法を用いて建築される建築物の準耐火構造を満たすためにスイッチボックス内に不燃性断熱材を充填する必要がなくなり、施工性を向上させることができる。
【００７８】
なお本実施形態では、上側の取付位置にＦ型接栓１１を、中央の取付位置にＬＡＮ用のモジュラジャック１５をそれぞれ配置しているが、Ｆ型接栓１１とＬＡＮ用のモジュラジャック１５の位置を入れ替えても良い。また下側の取付位置に電話用のモジュラジャック１４，１４を並置しているが、上側又は中央の取付位置においてモジュラジャック１４，１４を並置し、他の２箇所の取付位置にＦ型接栓１１およびＬＡＮ用のモジュラジャック１５を１個ずつ配置しても良い。また更に、上中下の何れかの取付位置においてＦ型接栓１１又はＬＡＮ用のモジュラジャック１５の一方と電話用のモジュラジャック１４とを左右に並置し、残りの２箇所の取付位置にＦ型接栓１１又はＬＡＮ用のモジュラジャック１５の他方と、電話用のモジュラジャック１４とを１個ずつ配置しても良い。
【００７９】
（実施形態１０）
本発明の実施形態１０を図１９（ａ）に基づいて説明する。上述の実施形態１〜５では情報コンセント１の機能面に、映像用のコンセント部を２個、データ通信用のコンセント部および音声通信用のコンセント部を各１個ずつ設けているのに対して、本実施形態では、情報コンセント１の機能面に映像用のコンセント部を２個、データ通信用のコンセント部を２個、音声通信用のコンセント部を１個それぞれ設けている。尚、コンセント部の配置以外は上述の実施形態１〜５と同様であるので、共通する構成要素には同一の符号を付して、その説明は省略する。
【００８０】
図１９（ａ）に示す情報コンセント１では、機能面における上側の取付位置にＦ型接栓１１を左右に２個並置すると共に、中央の取付位置にＬＡＮ用のモジュラジャック１５を左右に２個並置してあり、下側の取付位置に電話用のモジュラジャック１４を１個配置している。
【００８１】
而して、この情報コンセント１では、３個モジュール寸法の大角形連用配線器具と前面が略同じ寸法に形成された突台部５の前面に、映像用のコンセント部を構成するＦ型接栓１１を２個、データ通信用のコンセント部を構成するＬＡＮ用のモジュラジャック１５を２個、音声通信用のコンセント部を構成する電話用のモジュラジャック１４を１個設けているので、１連の取付枠（図示せず）に取り付けられた１個モジュール寸法の３個の電源コンセント３１とともにマルチメディア配線装置Ａを構成した場合でも、マルチメディア配線装置Ａを２連モジュールの寸法に形成することができる。したがって、情報コンセント１および電源コンセント３１を埋込配設するために使用するスイッチボックス（図示せず）の開口部の面積を１００ｃｍ２以下に抑えることができるから、ツーバイフォー工法を用いて建築される建築物の準耐火構造を満たすためにスイッチボックス内に不燃性断熱材を充填する必要がなくなり、施工性を向上させることができる。
【００８２】
なお本実施形態では、Ｆ型接栓１１を上側の取付位置に配置しているが、Ｆ型接栓１１を中央又は下側の取付位置に配置するとともに、残りの２箇所の取付位置の一方に２個のＬＡＮ用モジュラジャック１５を、他方の取付位置に１個の電話用モジュラジャック１４を配置しても良い。また図１９（ａ）ではＦ型接栓１１同士、モジュラジャック１５同士を左右に並置しているが、Ｆ型接栓１１とモジュラジャック１４又は１５を左右に並置しても良いし、モジュラジャック１５とＦ型接栓１１又はモジュラジャック１４を左右に並置しても良く、コンセント部を様々なパターンで組み合わせることができる。
【００８３】
（実施形態１１）
本発明の実施形態１１を図１９（ｂ）に基づいて説明する。上述の実施形態１〜５では情報コンセント１の機能面に、映像用のコンセント部を２個、データ通信用のコンセント部および音声通信用のコンセント部を各１個ずつ設けているのに対して、本実施形態では、情報コンセント１の機能面に映像用のコンセント部を２個、データ通信用のコンセント部を１個、音声通信用のコンセント部を２個それぞれ設けている。尚、コンセント部の配置以外は上述の実施形態１〜５と同様であるので、共通する構成要素には同一の符号を付して、その説明は省略する。
【００８４】
図１９（ｂ）に示す情報コンセント１では、機能面における上側の取付位置にＦ型接栓１１を左右に２個並置すると共に、中央の取付位置にＬＡＮ用のモジュラジャック１５を１個配置してあり、下側の取付位置に電話用のモジュラジャック１４を左右に２個並置している。
【００８５】
而して、この情報コンセント１では、３個モジュール寸法の大角形連用配線器具と前面が略同じ寸法に形成された突台部５の前面に、映像用のコンセント部を構成するＦ型接栓１１を２個、データ通信用のコンセント部を構成するＬＡＮ用のモジュラジャック１５を１個、音声通信用のコンセント部を構成する電話用のモジュラジャック１４を２個設けているので、１連の取付枠（図示せず）に取り付けられた１個モジュール寸法の３個の電源コンセント３１とともにマルチメディア配線装置Ａを構成した場合でも、マルチメディア配線装置Ａを２連モジュールの寸法に形成することができる。したがって、情報コンセント１および電源コンセント３１を埋込配設するために使用するスイッチボックス（図示せず）の開口部の面積を１００ｃｍ２以下に抑えることができるから、ツーバイフォー工法を用いて建築される建築物の準耐火構造を満たすためにスイッチボックス内に不燃性断熱材を充填する必要がなくなり、施工性を向上させることができる。
【００８６】
なお本実施形態では、Ｆ型接栓１１を上側の取付位置に配置しているが、Ｆ型接栓１１を中央又は下側の取付位置に配置するとともに、残りの２箇所の取付位置の一方に１個のＬＡＮ用モジュラジャック１５を、他方の取付位置に２個の電話用モジュラジャック１４を配置しても良い。また図１９（ｂ）ではＦ型接栓１１同士、モジュラジャック１４同士を左右に並置しているが、Ｆ型接栓１１とモジュラジャック１４又は１５を左右に並置しても良いし、モジュラジャック１４とＦ型接栓１１又はモジュラジャック１５を左右に並置しても良い。
【００８７】
（実施形態１２）
本発明の実施形態１２を図２０に基づいて説明する。上述の実施形態１〜５では情報コンセント１の機能面に、映像用のコンセント部を２個、データ通信用のコンセント部および音声通信用のコンセント部を各１個ずつ設けているのに対して、本実施形態では、情報コンセント１の機能面に映像用のコンセント部を１個、データ通信用のコンセント部を２個、音声通信用のコンセント部を２個それぞれ設けている。尚、コンセント部の配置以外は上述の実施形態１〜５と同様であるので、共通する構成要素には同一の符号を付して、その説明は省略する。
【００８８】
図２０に示す情報コンセント１では、機能面における上側の取付位置にＦ型接栓１１を１個配置すると共に、中央の取付位置にＬＡＮ用のモジュラジャック１５を左右に２個並置し、下側の取付位置に電話用のモジュラジャック１４を左右に２個並置している。
【００８９】
而して、この情報コンセント１では、３個モジュール寸法の大角形連用配線器具と前面が略同じ寸法に形成された突台部５の前面に、映像用のコンセント部を構成するＦ型接栓１１を１個、データ通信用のコンセント部を構成するＬＡＮ用のモジュラジャック１５を２個、音声通信用のコンセント部を構成する電話用のモジュラジャック１４を２個設けているので、１連の取付枠（図示せず）に取り付けられた１個モジュール寸法の３個の電源コンセント３１とともにマルチメディア配線装置Ａを構成した場合でも、マルチメディア配線装置Ａを２連モジュールの寸法に形成することができる。したがって、情報コンセント１および電源コンセント３１を埋込配設するために使用するスイッチボックス（図示せず）の開口部の面積を１００ｃｍ２以下に抑えることができるから、ツーバイフォー工法を用いて建築される建築物の準耐火構造を満たすためにスイッチボックス内に不燃性断熱材を充填する必要がなくなり、施工性を向上させることができる。
【００９０】
なお本実施形態では、Ｆ型接栓１１を上側の取付位置に配置しているが、Ｆ型接栓１１を中央又は下側の取付位置に配置するとともに、残りの２箇所の取付位置の一方に２個のＬＡＮ用モジュラジャック１５を、他方の取付位置に２個の電話用モジュラジャック１４を配置しても良い。また図２０ではモジュラジャック１４同士、モジュラジャック１５同士を左右に並置しているが、モジュラジャック１４とＦ型接栓１１又はモジュラジャック１５を左右に並置しても良いし、モジュラジャック１５とＦ型接栓１１又はモジュラジャック１４を左右に並置しても良い。
【００９１】
（実施形態１３）
本発明の実施形態１３を図２１（ａ）に基づいて説明する。上述の実施形態１〜５では情報コンセント１の機能面に、映像用のコンセント部を２個、データ通信用のコンセント部および音声通信用のコンセント部を各１個ずつ設けているのに対して、本実施形態では、情報コンセント１の機能面に映像用のコンセント部を１個、データ通信用のコンセント部を３個、音声通信用のコンセント部を１個それぞれ設けている。尚、コンセント部の配置以外は上述の実施形態１〜５と同様であるので、共通する構成要素には同一の符号を付して、その説明は省略する。
【００９２】
図２１（ａ）に示す情報コンセント１では、機能面における上側の取付位置にＦ型接栓１１を１個配置すると共に、中央の取付位置に電話用のモジュラジャック１４とＬＡＮ用のモジュラジャック１５とを左右に並置し、下側の取付位置にＬＡＮ用のモジュラジャック１５を左右に２個並置している。
【００９３】
而して、この情報コンセント１では、３個モジュール寸法の大角形連用配線器具と前面が略同じ寸法に形成された突台部５の前面に、映像用のコンセント部を構成するＦ型接栓１１を１個、データ通信用のコンセント部を構成するＬＡＮ用のモジュラジャック１５を３個、音声通信用のコンセント部を構成する電話用のモジュラジャック１４を１個設けているので、１連の取付枠（図示せず）に取り付けられた１個モジュール寸法の３個の電源コンセント３１とともにマルチメディア配線装置Ａを構成した場合でも、マルチメディア配線装置Ａを２連モジュールの寸法に形成することができる。したがって、情報コンセント１および電源コンセント３１を埋込配設するために使用するスイッチボックス（図示せず）の開口部の面積を１００ｃｍ２以下に抑えることができるから、ツーバイフォー工法を用いて建築される建築物の準耐火構造を満たすためにスイッチボックス内に不燃性断熱材を充填する必要がなくなり、施工性を向上させることができる。
【００９４】
なお本実施形態では、Ｆ型接栓１１を上側の取付位置に配置しているが、Ｆ型接栓１１を中央又は下側の取付位置に配置するとともに、残りの２箇所の取付位置の一方に電話用のモジュラジャック１４とＬＡＮ用のモジュラジャック１５を並置し、他方の取付位置に２個のＬＡＮ用モジュラジャック１５を並置しても良い。またモジュラジャック１４，１５を左右に並置しているが、モジュラジャック１５とＦ型接栓１１を左右に並置して、何れかの取付位置にモジュラジャック１４を１個だけ配置するようにしても良い。また更に、何れかの取付位置にモジュラジャック１５を１個だけ配置し、残りの２箇所の取付位置にＦ型接栓１１とモジュラジャック１４と２個のモジュラジャック１５を配置しても良く、その組み合わせは問わない。
【００９５】
（実施形態１４）
本発明の実施形態１４を図２１（ｂ）に基づいて説明する。上述の実施形態１〜５では情報コンセント１の機能面に、映像用のコンセント部を２個、データ通信用のコンセント部および音声通信用のコンセント部を各１個ずつ設けているのに対して、本実施形態では、情報コンセント１の機能面に映像用のコンセント部を１個、データ通信用のコンセント部を１個、音声通信用のコンセント部を３個それぞれ設けている。尚、コンセント部の配置以外は上述の実施形態１〜５と同様であるので、共通する構成要素には同一の符号を付して、その説明は省略する。
【００９６】
図２１（ａ）に示す情報コンセント１では、機能面における上側の取付位置にＦ型接栓１１を１個配置すると共に、中央の取付位置に電話用のモジュラジャック１４を左右に２個並置し、下側の取付位置に電話用のモジュラジャック１４とＬＡＮ用のモジュラジャック１５を左右に並置している。
【００９７】
而して、この情報コンセント１では、３個モジュール寸法の大角形連用配線器具と前面が略同じ寸法に形成された突台部５の前面に、映像用のコンセント部を構成するＦ型接栓１１を１個、データ通信用のコンセント部を構成するＬＡＮ用のモジュラジャック１５を１個、音声通信用のコンセント部を構成する電話用のモジュラジャック１４を３個設けているので、１連の取付枠（図示せず）に取り付けられた１個モジュール寸法の３個の電源コンセント３１とともにマルチメディア配線装置Ａを構成した場合でも、マルチメディア配線装置Ａを２連モジュールの寸法に形成することができる。したがって、情報コンセント１および電源コンセント３１を埋込配設するために使用するスイッチボックス（図示せず）の開口部の面積を１００ｃｍ２以下に抑えることができるから、ツーバイフォー工法を用いて建築される建築物の準耐火構造を満たすためにスイッチボックス内に不燃性断熱材を充填する必要がなくなり、施工性を向上させることができる。
【００９８】
なお本実施形態では、Ｆ型接栓１１を上側の取付位置に配置しているが、Ｆ型接栓１１を中央又は下側の取付位置に配置するとともに、残りの２箇所の取付位置の一方に電話用のモジュラジャック１４とＬＡＮ用のモジュラジャック１５を並置し、他方の取付位置に２個の電話用モジュラジャック１４を並置しても良い。またモジュラジャック１４，１５を左右に並置しているが、モジュラジャック１４とＦ型接栓１１を左右に並置して、何れかの取付位置にモジュラジャック１５を１個だけ配置するようにしても良い。また更に、何れかの取付位置にモジュラジャック１４を１個だけ配置し、残りの２箇所の取付位置にＦ型接栓１１と２個のモジュラジャック１４とモジュラジャック１５を配置しても良く、その組み合わせは問わない。
【００９９】
（実施形態１５）
本発明の実施形態１５を図２２〜図２４に基づいて説明する。上述の実施形態１〜５では情報コンセント１の機能面に、映像用のコンセント部を２個、データ通信用のコンセント部および音声通信用のコンセント部を各１個ずつ設けているのに対して、本実施形態では、情報コンセント１の機能面に映像用のコンセント部を２個、データ通信用のコンセント部を２個、音声通信用のコンセント部を２個それぞれ設けている。尚、コンセント部の配置以外は上述の実施形態１〜５と同様であるので、共通する構成要素には同一の符号を付して、その説明は省略する。
【０１００】
本実施形態の情報コンセント１では、機能面における上側の取付位置にＦ型接栓１１を左右に２個並置すると共に、中央の取付位置に電話用のモジュラジャック１４を左右に２個並置し、下側の取付位置にＬＡＮ用のモジュラジャック１５を左右に２個並置している。
【０１０１】
またカバー３背面の上側部には、前面にＦ型接栓１１を備える２個の接続ターミナル１２が左右に並べて取り付けられており、接続ターミナル１２の後部下面には下側に向かって突出するＦ型接栓１３が設けられている。ここで、各々の接続ターミナル１２は、Ｆ型接栓１３が図２３（ｃ）中の斜め右下に突出するよう、カバー３に対して斜めに取り付けられている。
【０１０２】
またボディ４には、ＬＡＮ用のモジュラジャック１５，１５に対応する部位に端子台１５ｅ，１５ｅが配置されるとともに、端子台１５ｅ，１５ｅの上側位置に電話用のモジュラジャック１４，１４に対応して設けた端子台１４ｃ，１４ｃを配置してある。ここで、電話用のモジュラジャック１４に対応して設けた端子台１４ｃを端子台１５ｅに近接させて配置しているので、Ｆ型接栓１３と端子台１４ｃとの間の距離を十分長くでき、実施形態１で説明した接続ターミナル１２に比べて後方への突出量が少ない既存の接続ターミナル１２を使用しても、Ｆ型接栓１３に接続した同軸ケーブルが端子台１４ｃに干渉するのを防止することができる。
【０１０３】
なお、図２２〜図２４に示す情報コンセント１ではＦ型接栓１１を上側の取付位置に、電話用のモジュラジャック１４を中央の取付位置に、ＬＡＮ用のモジュラジャック１５を下側の取付位置にそれぞれ配置しているが、図２５〜図２７に示すように電話用のモジュラジャック１４を下側の取付位置に、ＬＡＮ用のモジュラジャック１５を上側の取付位置に配置しても良い。ここで、ＬＡＮ用のモジュラジャック１５に対応して設けた端子台１５ｅは、カバー３背面の下側部に配置された端子台１４ｃに近接して配置されており、接続ターミナル１２と端子台１５ｅとの間の距離を十分長くできるので、実施形態１で説明した接続ターミナル１２に比べて後方への突出量が少ない既存の接続ターミナル１２を使用しても、Ｆ型接栓１３に接続した同軸ケーブルが端子台１４ｃに干渉するのを防止できる。なお、図２８に示すように端子台１５ｅをモジュラジャック１５の裏側付近に配置する場合は、接続ターミナル１２と端子台１５ｅとの間に十分な距離を確保することができないので、後方への突出量が大きい接続ターミナル１２を使用する必要があり、この場合は深型のスイッチボックスを使用して施工すれば良い。
【０１０４】
また本実施形態ではＦ型接栓１１を上側の取付位置に配置しているが、Ｆ型接栓１１を中央又は下側の取付位置に配置し、残りの２箇所の取付位置の一方に電話用のモジュラジャック１４を、他方の取付位置にＬＡＮ用のモジュラジャック１５をそれぞれ配置しても良い。
【０１０５】
また更に、本実施形態の情報コンセント１においても、実施形態２と同様に、１個の映像入力端子に入力された同一の映像信号（例えば地上波放送信号）を２個のＦ型接栓１１に分配するようにしても良い。すなわち図２４（ｂ）に示すように、接続ターミナル１２の器体を横長の直方体状に形成するとともに、この器体の前面に２個のＦ型接栓１１，１１を設け、各Ｆ型接栓１１を凹所５ａの底部に設けた貫通孔を通して前面側に突出させる。また接続ターミナル１２の器体の後部下面には、造営面の裏側に配線された同軸ケーブル（図示せず）が接続されるＦ型接栓１３が１個突設されており、Ｆ型接栓１３に入力された映像信号を２個のＦ型接栓１１，１１に分配する分配器が接続ターミナル１２の内部に収納されている。なおＦ型接栓１３は、接続される同軸ケーブルが端子台１４ｃに接続される通信線と干渉しないよう片側（図２４（ｂ）の右側）に寄せて設けられている。
【０１０６】
而して、この情報コンセント１では、３個モジュール寸法の大角形連用配線器具と前面が略同じ寸法に形成された突台部５の前面に、映像用のコンセント部を構成するＦ型接栓１１を２個、データ通信用のコンセント部を構成するＬＡＮ用のモジュラジャック１５を２個、音声通信用のコンセント部を構成する電話用のモジュラジャック１４を２個設けているので、１連の取付枠（図示せず）に取り付けられた１個モジュール寸法の３個の電源コンセント３１とともにマルチメディア配線装置Ａを構成した場合でも、マルチメディア配線装置Ａを２連モジュールの寸法に形成することができる。したがって、情報コンセント１および電源コンセント３１を埋込配設するために使用するスイッチボックス（図示せず）の開口部の面積を１００ｃｍ２以下に抑えることができるから、ツーバイフォー工法を用いて建築される建築物の準耐火構造を満たすためにスイッチボックス内に不燃性断熱材を充填する必要がなくなり、施工性を向上させることができる。
【０１０７】
（実施形態１６）
本発明の実施形態１６を図２９に基づいて説明する。上述の実施形態１〜５では情報コンセント１の機能面に、映像用のコンセント部を２個、データ通信用のコンセント部および音声通信用のコンセント部を各１個ずつ設けているのに対して、本実施形態では、情報コンセント１の機能面に映像用のコンセント部を２個、データ通信用のコンセント部を３個、音声通信用のコンセント部を１個それぞれ設けている。尚、コンセント部の配置以外は上述の実施形態１〜５と同様であるので、共通する構成要素には同一の符号を付して、その説明は省略する。
【０１０８】
図２９に示す情報コンセント１では、機能面における上側の取付位置にＦ型接栓１１を２個配置すると共に、中央の取付位置に電話用のモジュラジャック１４とＬＡＮ用のモジュラジャック１５を左右に並置し、下側の取付位置にＬＡＮ用のモジュラジャック１５を左右に２個並置している。
【０１０９】
而して、この情報コンセント１では、３個モジュール寸法の大角形連用配線器具と前面が略同じ寸法に形成された突台部５の前面に、映像用のコンセント部を構成するＦ型接栓１１を２個、データ通信用のコンセント部を構成するＬＡＮ用のモジュラジャック１５を３個、音声通信用のコンセント部を構成する電話用のモジュラジャック１４を１個設けているので、１連の取付枠（図示せず）に取り付けられた１個モジュール寸法の３個の電源コンセント３１とともにマルチメディア配線装置Ａを構成した場合でも、マルチメディア配線装置Ａを２連モジュールの寸法に形成することができる。したがって、情報コンセント１および電源コンセント３１を埋込配設するために使用するスイッチボックス（図示せず）の開口部の面積を１００ｃｍ２以下に抑えることができるから、ツーバイフォー工法を用いて建築される建築物の準耐火構造を満たすためにスイッチボックス内に不燃性断熱材を充填する必要がなくなり、施工性を向上させることができる。
【０１１０】
なお本実施形態では、Ｆ型接栓１１を上側の取付位置に配置しているが、Ｆ型接栓１１を中央又は下側の取付位置に配置するとともに、残りの２箇所の取付位置の一方に２個のＬＡＮ用モジュラジャック１５を、他方の取付位置に電話用モジュラジャック１４とＬＡＮ用のモジュラジャック１５とを並置しても良い。また図２９では２個のＦ型接栓１１を左右に並置しているが、Ｆ型接栓１１とモジュラジャック１４又は１５とを左右に並置するように、各コンセント部の配置を決定しても良く、各コンセント部の配置は問わない。
【０１１１】
（実施形態１７）
本発明の実施形態１７を図３０に基づいて説明する。上述の実施形態１〜５では情報コンセント１の機能面に、映像用のコンセント部を２個、データ通信用のコンセント部および音声通信用のコンセント部を各１個ずつ設けているのに対して、本実施形態では、情報コンセント１の機能面に映像用のコンセント部を２個、データ通信用のコンセント部を１個、音声通信用のコンセント部を３個それぞれ設けている。尚、コンセント部の配置以外は上述の実施形態１〜５と同様であるので、共通する構成要素には同一の符号を付して、その説明は省略する。
【０１１２】
図３０に示す情報コンセント１では、機能面における上側の取付位置にＦ型接栓１１を２個配置すると共に、中央の取付位置に電話用のモジュラジャック１４とＬＡＮ用のモジュラジャック１５を左右に並置し、下側の取付位置に電話用のモジュラジャック１４を左右に２個並置している。
【０１１３】
而して、この情報コンセント１では、３個モジュール寸法の大角形連用配線器具と前面が略同じ寸法に形成された突台部５の前面に、映像用のコンセント部を構成するＦ型接栓１１を２個、データ通信用のコンセント部を構成するＬＡＮ用のモジュラジャック１５を１個、音声通信用のコンセント部を構成する電話用のモジュラジャック１４を３個設けているので、１連の取付枠（図示せず）に取り付けられた１個モジュール寸法の３個の電源コンセント３１とともにマルチメディア配線装置Ａを構成した場合でも、マルチメディア配線装置Ａを２連モジュールの寸法に形成することができる。したがって、情報コンセント１および電源コンセント３１を埋込配設するために使用するスイッチボックス（図示せず）の開口部の面積を１００ｃｍ２以下に抑えることができるから、ツーバイフォー工法を用いて建築される建築物の準耐火構造を満たすためにスイッチボックス内に不燃性断熱材を充填する必要がなくなり、施工性を向上させることができる。
【０１１４】
なお本実施形態では、Ｆ型接栓１１を上側の取付位置に配置しているが、Ｆ型接栓１１を中央又は下側の取付位置に配置するとともに、残りの２箇所の取付位置の一方に２個の電話用モジュラジャック１４を、他方の取付位置に電話用モジュラジャック１４とＬＡＮ用のモジュラジャック１５とを並置しても良い。また図３０では２個のＦ型接栓１１を左右に並置しているが、Ｆ型接栓１１とモジュラジャック１４又は１５とを左右に並置するように、各コンセント部の配置を決定しても良く、各コンセント部の配置は問わない。
【０１１５】
（実施形態１８）
本発明の実施形態１８を図３１（ａ）に基づいて説明する。上述の実施形態１〜５では情報コンセント１の機能面に、映像用のコンセント部を２個、データ通信用のコンセント部および音声通信用のコンセント部を各１個ずつ設けているのに対して、本実施形態では、情報コンセント１の機能面に映像用のコンセント部を１個、データ通信用のコンセント部を３個、音声通信用のコンセント部を２個それぞれ設けている。尚、コンセント部の配置以外は上述の実施形態１〜５と同様であるので、共通する構成要素には同一の符号を付して、その説明は省略する。
【０１１６】
図３１（ａ）に示す情報コンセント１では、機能面における上側の取付位置にＦ型接栓１１とＬＡＮ用のモジュラジャック１５を左右に並置するとともに、中央の取付位置に電話用のモジュラジャック１４を左右に２個並置し、下側の取付位置にＬＡＮ用のモジュラジャック１５を左右に２個並置している。
【０１１７】
而して、この情報コンセント１では、３個モジュール寸法の大角形連用配線器具と前面が略同じ寸法に形成された突台部５の前面に、映像用のコンセント部を構成するＦ型接栓１１を１個、データ通信用のコンセント部を構成するＬＡＮ用のモジュラジャック１５を３個、音声通信用のコンセント部を構成する電話用のモジュラジャック１４を２個設けているので、１連の取付枠（図示せず）に取り付けられた１個モジュール寸法の３個の電源コンセント３１とともにマルチメディア配線装置Ａを構成した場合でも、マルチメディア配線装置Ａを２連モジュールの寸法に形成することができる。したがって、情報コンセント１および電源コンセント３１を埋込配設するために使用するスイッチボックス（図示せず）の開口部の面積を１００ｃｍ２以下に抑えることができるから、ツーバイフォー工法を用いて建築される建築物の準耐火構造を満たすためにスイッチボックス内に不燃性断熱材を充填する必要がなくなり、施工性を向上させることができる。
【０１１８】
なお本実施形態では、上側の取付位置にＦ型接栓１１とＬＡＮ用のモジュラジャック１５を並置しているが、Ｆ型接栓１１を中央又は下側の取付位置に配置するとともに、Ｆ型接栓１１とモジュラジャック１４又は１５を並置するように、各コンセント部の配置を決定しても良く、各コンセント部の配置は問わない。
【０１１９】
（実施形態１９）
本発明の実施形態１９を図３１（ｂ）に基づいて説明する。上述の実施形態１〜５では情報コンセント１の機能面に、映像用のコンセント部を２個、データ通信用のコンセント部および音声通信用のコンセント部を各１個ずつ設けているのに対して、本実施形態では、情報コンセント１の機能面に映像用のコンセント部を１個、データ通信用のコンセント部を２個、音声通信用のコンセント部を３個それぞれ設けている。尚、コンセント部の配置以外は上述の実施形態１〜５と同様であるので、共通する構成要素には同一の符号を付して、その説明は省略する。
【０１２０】
図３１（ｂ）に示す情報コンセント１では、機能面における上側の取付位置にＦ型接栓１１と電話用のモジュラジャック１４を左右に並置するとともに、中央の取付位置に電話用のモジュラジャック１４を左右に２個並置し、下側の取付位置にＬＡＮ用のモジュラジャック１５を左右に２個並置している。
【０１２１】
而して、この情報コンセント１では、３個モジュール寸法の大角形連用配線器具と前面が略同じ寸法に形成された突台部５の前面に、映像用のコンセント部を構成するＦ型接栓１１を１個、データ通信用のコンセント部を構成するＬＡＮ用のモジュラジャック１５を２個、音声通信用のコンセント部を構成する電話用のモジュラジャック１４を３個設けているので、１連の取付枠（図示せず）に取り付けられた１個モジュール寸法の３個の電源コンセント３１とともにマルチメディア配線装置Ａを構成した場合でも、マルチメディア配線装置Ａを２連モジュールの寸法に形成することができる。したがって、情報コンセント１および電源コンセント３１を埋込配設するために使用するスイッチボックス（図示せず）の開口部の面積を１００ｃｍ２以下に抑えることができるから、ツーバイフォー工法を用いて建築される建築物の準耐火構造を満たすためにスイッチボックス内に不燃性断熱材を充填する必要がなくなり、施工性を向上させることができる。
【０１２２】
なお本実施形態では、上側の取付位置にＦ型接栓１１とＬＡＮ用のモジュラジャック１４を並置しているが、Ｆ型接栓１１を中央又は下側の取付位置に配置するとともに、Ｆ型接栓１１とモジュラジャック１４又は１５を並置するように、各コンセント部の配置を決定しても良く、各コンセント部の配置は問わない。
【０１２３】
以上説明したように上述の各実施形態では、情報コンセント１の機能面において長手方向の両側部および中央部にコンセント部の取付位置を３個設け、３個の取付位置に、少なくとも１つの映像用のコンセント部（Ｆ型接栓１１）と、データ通信用のコンセント部（モジュラジャック１５）または音声通信用のコンセント部（モジュラジャック１４）の内の少なくとも何れか一方とを配置し、且つ、何れかの取付位置においてＦ型接栓１１、モジュラジャック１４，１５の内の１種又は２種を器体２の短手方向に沿って２個並置しており、コンセント部の配置を複数パターン設けることで、様々な組み合わせのコンセント部を備えた情報コンセント１を実現することができる。
【０１２４】
また、上述の各実施形態では情報コンセント１と、埋込型配線器具用の取付枠に取着された抜止型の３個の電源コンセント３１とを並設してマルチメディア配線装置Ａを構成しているが、図３２（ａ）（ｂ）に示すように各実施形態の情報コンセント１と、埋込型配線器具用の取付枠に取着された１個又は２個の電源コンセント３１とを並設してマルチメディア配線装置Ａを構成しても良いし、図３２（ｃ）に示すように３個モジュール寸法に形成された３個口の電源コンセント３２と並設してマルチメディア配線装置Ａを構成しても良いし、図３２（ｄ）に示すように接地極付きのコンセント口を備える電源コンセント３３と並設してマルチメディア配線装置Ａを構成しても良いし、図３２（ｅ）に示すように接地端子を有する接地極付きの電源コンセント３４と並設してマルチメディア配線装置Ａを構成しても良い。
【０１２５】
また、上述の各実施形態において、接続ターミナル１２に所定の周波数帯域のノイズ成分を減衰させるフィルタ（図示せず）を設けても良く、フィルタにより例えば映像用のコンセント部（Ｆ型接栓１１）に接続される映像機器側からコンセント部に入力されるノイズ成分を減衰させることで、映像機器側からＦ型接栓１３に接続された同軸ケーブルに流入する流合雑音を低減できる。したがって、双方向ＣＡＴＶのシステムなどで、映像機器側から上位側に流入した流合雑音が信号伝送に悪影響を与えるのを抑制することができる。
【図面の簡単な説明】
【０１２６】
【図１】実施形態１の情報コンセントを示し、（ａ）は正面図、（ｂ）は右側面図、（ｃ）は背面図、（ｄ）は上面図である。
【図２】同上の情報コンセントの外観斜視図である。
【図３】（ａ）（ｂ）は同上を用いたマルチメディア配線装置の正面図である。
【図４】実施形態２の情報コンセントを示し、（ａ）は正面図、（ｂ）は右側面図、（ｃ）は背面図、（ｄ）は上面図である。
【図５】同上の情報コンセントの外観斜視図である。
【図６】（ａ）〜（ｌ）は実施形態２〜４の情報コンセントを用いたマルチメディア配線装置の正面図である。
【図７】（ａ）〜（ｌ）は実施形態５の情報コンセントを用いたマルチメディア配線装置の正面図である。
【図８】（ａ）〜（ｌ）は実施形態５の情報コンセントを用いたマルチメディア配線装置の正面図である。
【図９】実施形態３の情報コンセントを示し、（ａ）は正面図、（ｂ）は右側面図、（ｃ）は背面図、（ｄ）は上面図である。
【図１０】同上の情報コンセントを示し、（ａ）は前方から見た斜視図、（ｂ）は後方から見た斜視図である。
【図１１】実施形態４の情報コンセントを示し、（ａ）は正面図、（ｂ）は右側面図、（ｃ）は左側面図、（ｄ）は上面図である。
【図１２】同上の情報コンセントを示し、（ａ）は外観斜視図、（ｂ）は背面図である。
【図１３】同上の別の情報コンセントを示し、（ａ）は正面図、（ｂ）は右側面図、（ｃ）は左側面図、（ｄ）は上面図である。
【図１４】同上の別の情報コンセントを示し、（ａ）は外観斜視図、（ｂ）は背面図である。
【図１５】同上のまた別の情報コンセントを示し、（ａ）は正面図、（ｂ）は右側面図、（ｃ）は背面図、（ｄ）は上面図である。
【図１６】同上のまた別の情報コンセントの外観斜視図である。
【図１７】（ａ）は実施形態６の情報コンセントを用いたマルチメディア配線装置の正面図、（ｂ）は実施形態７の情報コンセントを用いたマルチメディア配線装置の正面図である。
【図１８】（ａ）は実施形態８の情報コンセントを用いたマルチメディア配線装置の正面図、（ｂ）は実施形態９の情報コンセントを用いたマルチメディア配線装置の正面図である。
【図１９】（ａ）は実施形態１０の情報コンセントを用いたマルチメディア配線装置の正面図、（ｂ）は実施形態１１の情報コンセントを用いたマルチメディア配線装置の正面図である。
【図２０】実施形態１２の情報コンセントを用いたマルチメディア配線装置の正面図である。
【図２１】（ａ）は実施形態１３の情報コンセントを用いたマルチメディア配線装置の正面図、（ｂ）は実施形態１４の情報コンセントを用いたマルチメディア配線装置の正面図である。
【図２２】実施形態１５の情報コンセントを用いたマルチメディア配線装置の正面図である。
【図２３】同上の情報コンセントを示し、（ａ）は正面図、（ｂ）は右側面図、（ｃ）は背面図、（ｄ）は上面図である。
【図２４】同上のまた別の情報コンセントを示し、（ａ）は前方から見た斜視図、（ｂ）は後方から見た斜視図である。
【図２５】同上の別の情報コンセントを用いたマルチメディア配線装置の正面図である。
【図２６】同上の別の情報コンセントを示し、（ａ）は正面図、（ｂ）は右側面図、（ｃ）は左側面図、（ｄ）は上面図である。
【図２７】同上の別の情報コンセントを示し、（ａ）は外観斜視図、（ｂ）は背面図である。
【図２８】同上のまた別の情報コンセントを後方から見た斜視図である。
【図２９】実施形態１６の情報コンセントを用いたマルチメディア配線装置の正面図である。
【図３０】実施形態１７の情報コンセントを用いたマルチメディア配線装置の正面図である。
【図３１】（ａ）は実施形態１８の情報コンセントを用いたマルチメディア配線装置の正面図、（ｂ）は実施形態１９の情報コンセントを用いたマルチメディア配線装置の正面図である。
【図３２】（ａ）〜（ｅ）はマルチメディア配線装置の正面図である。
【符号の説明】
【０１２７】
１  情報コンセント
２  器体
５  突台部（機能面）
１１  Ｆ型接栓（映像用のコンセント部）
１４  電話用モジュラジャック（音声通信用のコンセント部）
１５  ＬＡＮ用モジュラジャック（データ通信用のコンセント部）
４０  化粧プレート
４２  専用化粧枠
４３  窓孔
【図１】
2008288164.tif 000003
【図２】
2008288164.tif 000004
【図３】
2008288164.tif 000005
【図４】
2008288164.tif 000006
【図５】
2008288164.tif 000007
【図６】
2008288164.tif 000008
【図７】
2008288164.tif 000009
【図８】
2008288164.tif 000010
【図９】
2008288164.tif 000011
【図１０】
2008288164.tif 000012
【図１１】
2008288164.tif 000013
【図１２】
2008288164.tif 000014
【図１３】
2008288164.tif 000015
【図１４】
2008288164.tif 000016
【図１５】
2008288164.tif 000017
【図１６】
2008288164.tif 000018
【図１７】
2008288164.tif 000019
【図１８】
2008288164.tif 000020
【図１９】
2008288164.tif 000021
【図２０】
2008288164.tif 000022
【図２１】
2008288164.tif 000023
【図２２】
2008288164.tif 000024
【図２３】
2008288164.tif 000025
【図２４】
2008288164.tif 000026
【図２５】
2008288164.tif 000027
【図２６】
2008288164.tif 000028
【図２７】
2008288164.tif 000029
【図２８】
2008288164.tif 000030
【図２９】
2008288164.tif 000031
【図３０】
2008288164.tif 000032
【図３１】
2008288164.tif 000033
【図３２】
2008288164.tif 000034